(57)【要約】【課題】効率的なマルチスケール画像再構成を実現できる医用画像処理装置等の提供。【解決手段】本実施形態に係る医用画像処理装置は、投影データを用いて再構成された初期再構成画像において第一の関心領域（ＲＯＩ）を設定する設定部と、初期再構成画像における第一の関心領域に対応する領域を順投影して第一のＲＯＩサイノグラムデータを生成し、投影データと第一のＲＯＩサイノグラムデータとに基づいて、第一の関心領域に対応する第一のＲＯＩ投影データと第一の関心領域に対応しない第一の非ＲＯＩ投影データとを取得する取得部と、投影データ、第一のＲＯＩ投影データ、第一の非ＲＯＩ投影データを用いて、第一の関心領域については第一の解像度を有し、第一の関心領域外の領域については第一の解像度より低い第二に解像度を有するマルチ解像度画像を再構成する再構成部と、を具備する。【選択図】      図１
2019051315.tif 000002
【特許請求の範囲】
【請求項１】
投影データを用いて再構成された初期再構成画像において第一の関心領域（ＲＯＩ）を設定する設定部と、
前記初期再構成画像における前記第一の関心領域に対応する領域を順投影して第一のＲＯＩサイノグラムデータを生成し、前記投影データと前記第一のＲＯＩサイノグラムデータとに基づいて、前記第一の関心領域に対応する第一のＲＯＩ投影データと前記第一の関心領域に対応しない第一の非ＲＯＩ投影データとを取得する取得部と、
前記投影データ、前記第一のＲＯＩ投影データ、前記第一の非ＲＯＩ投影データを用いて、前記第一の関心領域については第一の解像度を有し、前記第一の関心領域外の領域については前記第一の解像度より低い第二の解像度を有するマルチ解像度画像を再構成する再構成部と、
を具備する医用画像処理装置。
【請求項２】
前記再構成部は、前記第一の関心領域についての逐次近似再構成と前記第一の関心領域外の領域についての逐次近似再構成とを別々に実行する請求項１記載の医用画像処理装置。
【請求項３】
前記再構成部は、
前記第一の関心領域についての変数及び前記第一の関心領域外の領域についての変数を調整して前記逐次近似再構成における一回目の第一の目的関数を最適化し、前記マルチ解像度画像をアップデートし、
前記第一の関心領域についての変数を調整して前記逐次近似再構成における二回目の第二の目的関数を最適化し、前記第一の関心領域外の領域についての解像度を維持しつつ前記マルチ解像度画像をアップデートする、
請求項２記載の医用画像処理装置。
【請求項４】
前記第一の目的関数は、第一の正則化項を含み、
前記第二の目的関数は、前記第一の正則化項とは異なる拘束条件を課す第二の正則化項を含む、
請求項３記載の医用画像処理装置。
【請求項５】
前記再構成部は、前記第一の関心領域およびその外側の前記マルチ解像度画像を表すデータ忠実項と、前記第一の関心領域の前記マルチ解像度画像に課された拘束条件を表す第一の正則化項と、前記第一の関心領域の外側の前記マルチ解像度画像に課された拘束条件を表す第二の正則化項と、
を含む目的関数を最適化する逐次再構成法を用いて、前記マルチ解像度画像を再構成する請求項１乃至４のうちいずれか一項記載の医用画像処理装置。
【請求項６】
前記再構成部は、前記データ忠実項に関する拘束条件に従って前記目的関数を最適化することで、前記マルチ解像度画像を再構成する請求項５記載の医用画像処理装置。
【請求項７】
前記再構成部は、複数の検出器素子を用いて得られた前記投影データをダウンサンプルして前記初期再構成画像を生成する請求項１乃至６のうちいずれか一項記載の医用画像処理装置。
【請求項８】
前記取得部は、
前記投影データを、近傍ピクセルを含む複数のグループに分割し、各グループにおいてピクセル値を加算すること、
前記投影データを、近傍ピクセルを含む複数のグループに分割し、各グループにおいてピクセル値を平均化すること、
前記投影データのピクセルの値の補間を統合すること、
のうちの一つを実行することにより、前記ダウンサンプリングを実行する請求項７記載の医用画像処理装置。
【請求項９】
前記設定部は、
前記初期再構成画像における空間的変動の局所的測定を実行し、
前記空間的変動の局所的測定の結果に基づいて、前記初期再構成画像において前記第一の関心領域を自動的に設定する、
請求項１乃至８のうちいずれか一項記載の医用画像処理装置。
【請求項１０】
前記設定部は、ラプラシアン−ピラミッド法、ガウシアン−ピラミッド法、ウェーブレットに基づく手法、エッジ検出法、信号−処理法、フーリエ変換に基づく法、のうちの少なくとも一つを用いて、前記空間的変動の前記局所的測定を実行する請求項９記載の医用画像処理装置。
【請求項１１】
前記設定部は、ユーザからの指示に応答して、前記初期再構成画像において前記第一の関心領域をマニュアル設定する請求項１乃至８のうちいずれか一項記載の医用画像処理装置。
【請求項１２】
前記再構成部は、投影角に対応する前記投影データが撮影対象の境界から境界までに対応しない場合には、前記投影データを補外して前記初期再構成画像を生成する請求項１乃至１１のうちいずれか一項記載の医用画像処理装置。
【請求項１３】
前記設定部は、前記初期再構成画像において、前記第一の関心領域とは異なる第二の関心領域を設定し、
前記取得部は、前記初期再構成画像における前記第二の関心領域に対応する領域を順投影して前記第二のＲＯＩサイノグラムデータを生成し、前記投影データと第二のＲＯＩサイノグラムデータとに基づいて、前記第二の関心領域に対応する第二のＲＯＩ投影データと前記第二の関心領域に対応しない第二の非ＲＯＩ投影データとを取得し、
前記再構成部は、前記第二のＲＯＩ投影データと前記第二の非ＲＯＩ投影データとを用いて、前記第二の関心領域については第三の解像度を有し、前記第二の関心領域外の領域については前記第三の解像度より低い第四に解像度を有するマルチ解像度画像を再構成する、
請求項１乃至１２のうちいずれか一項記載の医用画像処理装置。
【請求項１４】
前記再構成部は、前記初期再構成画像において設定された前記第一の関心領域と異なる第二の関心領域とが重複する場合には、前記第一の関心領域及び前記第二の関心領域の一方の内側にのみ属する領域の解像度が、前記第一の関心領域及び前記第二の関心領域の双方の内側に属する領域の解像度、及び前記第一の関心領域及び前記第二の関心領域の双方の外側に属する領域の解像度と異なるように、前記マルチ解像度画像を実行する請求項１３記載の医用画像処理装置。
【請求項１５】
Ｘ線源と、
前記Ｘ線源から曝射されたＸ線を検出する複数の検出素子と、
前記複数の検出素子によって検出された投影データを用いて再構成された初期再構成画像において、第一の関心領域（ＲＯＩ）を設定する設定部と、
前記初期再構成画像における前記第一の関心領域に対応する領域を順投影して第一のＲＯＩサイノグラムデータを生成し、前記投影データと前記第一のＲＯＩサイノグラムデータとに基づいて、前記第一の関心領域に対応する第一のＲＯＩ投影データと前記第一の関心領域に対応しない第一の非ＲＯＩ投影データとを取得する取得部と、
前記投影データ、前記第一のＲＯＩ投影データ、前記第一の非ＲＯＩ投影データを用いて、前記第一の関心領域については第一の解像度を有し、前記第一の関心領域外の領域については前記第一の解像度より低い第二に解像度を有するマルチ解像度画像を再構成する再構成部と、
を具備する医用画像撮像装置。
【請求項１６】
コンピュータに、
投影データを用いて再構成された初期再構成画像において第一の関心領域（ＲＯＩ）を設定させる設定機能と、
前記初期再構成画像における前記第一の関心領域に対応する領域を順投影して第一のＲＯＩサイノグラムデータを生成させ、前記投影データと前記第一のＲＯＩサイノグラムデータとに基づいて、前記第一の関心領域に対応する第一のＲＯＩ投影データと前記第一の関心領域に対応しない第一の非ＲＯＩ投影データとを取得させる取得機能と、
前記投影データ、前記第一のＲＯＩ投影データ、前記第一の非ＲＯＩ投影データを用いて、前記第一の関心領域については第一の解像度を有し、前記第一の関心領域外の領域については前記第一の解像度より低い第二に解像度を有するマルチ解像度画像を再構成させる再構成機能と、
を実現させる医用画像処理プログラム。
【発明の詳細な説明】
【技術分野】
【０００１】
本実施形態は、医用画像処理装置、医用画像撮像装置及び医用画像処理プログラムに関する。
【背景技術】
【０００２】
コンピュータ断層撮影（ＣＴ）システム（或いはコンピュータ断層撮影装置）および方法は、特に医用撮像および医用診断の為に、幅広く使用されている。ＣＴシステムは、一般的に被検体の身体に関する一枚または複数の断面的なスライスの画像を作成する。Ｘ線源などの放射源は、一側面から身体にＸ線を照射する。身体と反対側にある少なくとも一つの検出器は、身体を通過した放射線を検出する。身体を通過してきた放射線の減衰は、検出器から受け取った電気信号を処理することで測定される。
【０００３】
ＣＴサイノグラムは、様々な投影測定に対する、検出器アレイに沿った位置の関数として、またＸ線源と検出器アレイとの間の投影角の関数として、身体を通過した減衰を示す。サイノグラムにおいて、空間的次元は、Ｘ線検出器のアレイに沿った位置を参照する。時間／角度次元は、ＣＴスキャンの間の時間の関数として変化するＸ線の投影角を参照する。画像化されたオブジェクト（例えば椎骨）の部分から生じる減衰は、縦軸の周辺に正弦波を描く。回転軸から更に遠いオブジェクトの部分は、より大きな振幅での正弦波に一致し、当該正弦波の位相は、回転軸周辺のオブジェクトの角度位置に一致する。逆ラドン変換―また任意のその他の画像再構成法―の実行は、サイノグラムにおける投影データから画像を再構成することである。
【０００４】
臨床アプリケーションにおいて、身体内の所定のサブ領域は、特定の患者の特定のスキャンに対して、より大きな意味を持つ可能性がある。例えば、インターベンショナルＣＴにおいて、ステントまたはその他の医用デバイスが患者に挿入されることがあり、当該医用デバイスの配置を直接取り囲む領域は、最重要領域である。この最重要エリアにおける高解像度を達成するのに、小さな直径のＸ線ビームは、ＣＴスキャンに対する関心の関連する領域について、焦点を当てることが出来る。しかし、当該関心の小さな領域からの再構成画像は、裁断誤差（ｔｒｕｎｃａｔｉｏｎ  ｅｒｒｏｒ）という結果を招きかねない。他方で、大きな視野角での再構成画像は、解像度が乏しいか、または投影データから再構成するのに著しく長い時間および計算的リソースか、のどちらかをもたらす可能性がある。
【０００５】
ＣＴスキャンにおいて、裁断誤差およびアーチファクトは、小さな直径のＸ線ビームが患者の全体の横断面に比べて狭い領域を占める場合に生じる。Ｘ線ビームにより照射された関心領域（ＲＯＩ）外側で入手できるのが不完全なデータなので、再構成は潜在的に画像を無駄にする深刻なアーチファクトに、見舞われることがある。これらのアーチファクトを減らすために、ＲＯＩの外側のデータを推定する、または決定することによる、いくつものアプローチが提案されてきた。
【０００６】
例えば、アルゴリズムの第一のカテゴリがＲＯＩの外側のデータを推定することにより、ＲＯＩアーチファクトを解消するようと試みるものである。裁断されたデータを補外するために、技法を使用することが出来る。実施例の中には、補外手順はフィルタ補正逆投影（ＦＢＰ）法の畳み込みステップへと組み込むことができ、またはＲＯＩの内側の再構成を改善するのに平滑化関数を使用することにより組み込むことができる。これらの推定されたまたは除去された投影は、ＲＯＩの外側のオブジェクトを厳密にモデルとしない可能性があり、残留アーチファクトという結果に繋がる。更に、これらの技法は、ＲＯＩの外側の画像情報を提供しない。当該画像情報により、臨床医（ｃｌｉｎｉｃａｌ  ｐｒａｃｔｉｔｉｏｎｅｒ）は、より容易に再構成画像の解釈することができ、ＲＯＩにおける画像に対する視覚的コンテキストを提供することが可能である。
【０００７】
裁断アーチファクト課題を解決するための特定のその他の方法は、全撮像視野（Ｆｕｌｌ  Ｆｉｅｌｄ  Ｏｆ  Ｖｉｅｗ：Ｆｕｌｌ  ＦＯＶ）に対応する第一のパスと、限定されたまたは制限された撮像視野を使用する第二のパスと、二つのパスを使用する。例えば、ＲＯＩ画像再構成は、二つのパスのＩＲと、二つのパスの中間の一投影差分とを使用することによる逐次再構成（ＩＲ）を使用することで、実行することが出来る。この方法を実行するための二つの選択肢としては、（ｉ）第一のパスにおいて粗いグリッドサイズを適用し、第二のパスにおいて細かいグリッドサイズを適用する、（ｉｉ）二つのパス両方で細かいグリッドサイズを使用するが、第二のパスでボクセル数の分だけ減らすことにより、縮小した画像ボリュームに適用する、である。二つのパスの方法は、裁断アーチファクトを減らすことが可能であるが、第二のスキャンを実行し追加での再構成ステップを実行するのに、複雑性が益し時間が掛かるという犠牲を払っている。
【先行技術文献】
【特許文献】
【０００８】
【特許文献１】米国特許６７６８７８２Ｂ１号明細書
【発明の概要】
【発明が解決しようとする課題】
【０００９】
上述した補外法および二つのパス法は、画像を再構成するのに計算的時間を増やすことなく、裁断アーチファクトを十分に軽減することが出来ない。一方、例えば、臨床医が、患者の体内にステントまたは医用デバイスの位置決めや配置などの課題に対する撮像に基づく高速フィードバックに頼るような臨床的なアプリケーションにおいては、計算的時間を増やすことは非現実的であると言える。
上記事情に鑑み、効率的なマルチスケール画像再構成を実現することができる医用画像処理装置、医用画像撮像装置及び医用画像処理プログラムを提供することを目的とする。
【課題を解決するための手段】
【００１０】
本実施形態に係る医用画像処理装置は、投影データを用いて再構成された初期再構成画像において第一の関心領域（ＲＯＩ）を設定する設定部と、前記初期再構成画像における前記第一の関心領域に対応する領域を順投影して第一のＲＯＩサイノグラムデータを生成し、前記投影データと前記第一のＲＯＩサイノグラムデータとに基づいて、前記第一の関心領域に対応する第一のＲＯＩ投影データと前記第一の関心領域に対応しない第一の非ＲＯＩ投影データとを取得する取得部と、前記投影データ、前記第一のＲＯＩ投影データ、前記第一の非ＲＯＩ投影データを用いて、前記第一の関心領域については第一の解像度を有し、前記第一の関心領域外の領域については前記第一の解像度より低い第二に解像度を有するマルチ解像度画像を再構成する再構成部と、を具備する。
【図面の簡単な説明】
【００１１】
本開示の理解をより完全なものにするには、添付の図面に関連して検討する際に、以下の詳細な説明を参照することで、もたらされよう。
【図１】一実施例に係る、マルチ解像度逐次再構成（ＩＲ）法の第一の実行のフロー概要図を示している。
【図２】一実施例に係る、投影データから生成された投影画像および再構成画像における高解像度領域と低解像度領域とを示している。
【図３】一実施例に係る、関心領域（ＲＯＩ）の低周波数領域と高周波数領域とが再構成画像に重畳された、再構成画像の例を示している。
【図４】一実施例に係る、ＲＯＩのマルチ低解像度とＲＯＩのマルチ高解像度とが再構成画像に重畳された、再構成画像の例を示している。
【図５】一実施例に係る、画像ドメインにおけるＲＯＩの高解像度を投影ドメインへと順投影することを実行するステップのフロー概略図を示している。
【図６】一実施例に係る、画像ドメインにおけるＲＯＩの内側および外側の異なる解像度（つまり、ピクセルピッチ）を使用してマルチ解像度画像を再構成／再改良するためのステップのフロー概略図を示している。
【図７Ａ】一実施例に係る、三次元オブジェクトＯＢＪを二次元検出器アレイへと投影する例の概略図を示している。
【図７Ｂ】投影データを生成するのに、頭部ファントムを二次元検出器アレイへと投影する例の概略図を示している。
【図７Ｃ】ＲＯＩの投影を決定するのに、画像ドメインＲＯＩを投影ドメインへと順投影する例の概略図を示している。
【図７Ｄ】頭部ファントムの投影データ上に重畳されたＲＯＩの投影を示している。
【図８】ＲＯＩの内側および外側のピクセルピッチの比が２の場合に、画像ドメインＲＯＩの投影から投影ドメインＲＯＩが決定されている例を示している。
【図９】ＲＯＩの内側および外側のピクセルピッチの比が４の場合に、画像ドメインＲＯＩの投影から投影ドメインＲＯＩが決定されている例を示している。
【図１０】一実施例に係る、フラットパネル検出器（ＦＰＤ）上へのＸ線投影測定の概略図を示している。
【図１１Ａ】インターベンショナルな臨床アプリケーションにおいて使用されている、ステントの再構成画像の横断面の再構成画像を示している。
【図１１Ｂ】ステントの側面の投影画像を示している。
【図１２】大脳皮質と頭蓋との間の空間に、くも膜下出血が存在している頭部の再構成画像の例を示している。
【図１３】一実施例に係る、画像を様々な解像度の四つの領域へと区切っている例を示している。
【図１４】一実施例に係る、マルチ解像度ＩＲ法の第二の実行のフロー概略図を示している。
【図１５】ＣＴスキャナの実施例の概要図を示している。
【発明を実施するための形態】
【００１２】
コンピュータ断層撮影（ＣＴ）およびコーンビームＣＴ（ＣＢＣＴ）、関心領域（ＲＯＩ）再構成は、指定されたＲＯＩにおける高解像度画像を取得するのに使用される。当該技法は、拡大されたＲＯＩ再構成（ズーミング再構成）とも呼ぶことが出来、拡大されたＲＯＩ再構成は、指定されたＲＯＩでの解剖学的特徴の表現について小さな画像ボクセルサイズを使用する。更に、特定の実施例で、ＲＯＩ再構成は、粗解像度画像およびＲＯＩの外側の領域に対する情報も生成出来る。ここに説明される方法および装置は、とりわけ、ＲＯＩにわたり投影する領域に対して使用されるピクセルピッチに関連するＲＯＩの外側の領域に対応する投影データに対する異なるピクセルピッチを使用することで、より従来的な方法に勝るコンピュータ的利点またその他の利点を提供する。対照的に、より従来的な方法は、シングルＣＴスキャンに対する投影データにおけるマルチピクセルピッチを使用しない。更に、ここに説明される方法は、二つのパス方法で使用されるようなマルチプルスキャンではなく、シングルスキャンに基づいて逐次再構成を使用してＲＯＩ再構成を実行する。
【００１３】
逐次再構成（ＩＲ）を使用するＣＴにはありがちなことであるが、画像化されるオブジェクトＯＢＪの全体が、ＣＴスキャナの画像ボリュームの範囲である。この事が、裁断効果を弱める。しかし、高解像度画像が再構成された場合に、画像化された領域を小さなＲＯＩにまで減らすことは、オブジェクトＯＢＪの画像を再構成するための計算的な負担を減らすことに繋がる。別の場合、特にＲＯＩに対する高解像度再構成を所望の場合、また同じように高解像度が再構成画像の全体的なボリュームに対して使用される場合には、高画質な画像を再構成するのに要する時間が途轍もなく掛かる可能性がある。
【００１４】
逐次画像再構成に対する計算的な時間は、順投影演算および逆投影演算によって、その多くが占められている。これは、よくＩＲアルゴリズムが逐次の多重ステップを使用して再構成画像へと収束するからであり、この多重ステップの各ステップは、一回の順投影演算と一回の逆投影演算との両方を含むことが可能である。これらの二つの演算のそれぞれに対する浮動小数点数は、画像ドメインにおけるボクセル数に、投影／サイノグラムドメインにおけるピクセル数を掛けたオーダーになる可能性がある。ここで使用される、「サイノグラムドメイン」および「投影ドメイン」という用語は、代替可能に使用される。この様にして、画像または投影ドメインのサイズを変えることなく、解像度の倍増することは、各順および逆投影演算に対する計算的な時間において２の５乗、つまり３２倍、計算的な時間における増加という結果になる可能性がある。
【００１５】
従って、細かい（高い）解像度での大きな画像ボリュームに対して計算的な複雑性は急激に増大する可能性があり、これが、臨床アプリケーションに対し、ＲＯＩを最小化しながらも、高解像度がＲＯＩに対して所望される所以である。しかし、上で述べた通り、ＲＯＩがオブジェクトの部分を除去した場合に、裁断アーチファクトは、撮像領域から締め出された当該オブジェクトの部分に属する未知のＸ線減衰から生じている。
【００１６】
全撮像視野（ＦＯＶ）投影データは、ＲＯＩから除外されたオブジェクトＯＢＪの領域に対するＸ線減衰についての情報を提供するのに使用することが出来、この様にして裁断アーチファクトを除去する。結果的に、フルＦＯＶが投影データに表された場合に、オブジェクトＯＢＪの全体が、ＩＲにおいて順投影および逆投影演算で表され、裁断効果は弱められる。インターバルＸ線放射線学で使用されるコーンビームＣＴ（ＣＢＣＴ）など高解像度撮像において、投影データに対する固有の検出器解像度は、かなり高い可能性がある、つまり、最も近くに近傍するピクセル間の距離として定義されている小さなピクセルピッチの可能性がある。
【００１７】
固有の検出器解像度を伴う全ＦＯＶ投影データは、特に画像ドメインにおける小さなＲＯＩのみが、固有の解像度を基に可能な限り最も高い解像度を求める場合に、高い計算的負荷を課すことがある。この様にして、全ＦＯＶ画像は、固有の解像度からより粗い検出器解像度（つまり、大きなピクセルピッチ）へと投影データをダウンサンプリングすることによって、再構成することが出来る。当該ダウンサンプリングは、例えば、大きなピクセルに対応するグループへとピクセルをグループ分けすることによって（例えば、四つの固有のピクセルを２×２の正方形に、または六つの固有のピクセルを２×３の長方形に、それぞれグループ分けすること）、また粗分解能ピクセルに対応するダウンサンプリングされた投影データを決定するのに、固有のピクセルの各グループ分けにおいて、個別の固有のピクセルに対する信号強度／カウント値にわたって平均化することによって、達成することが出来る。
【００１８】
代わりに、粗い投影データの任意のサイズ、形状、次元を、任意の既知の補間、補外、および／または統合法を使用して、固有の解像度グリッドから粗い解像度グリッドへとマッピングすることにより、取得しても良い。画像ドメイン解像度に対し同程度の変化の２のピクセル―ピッチ比だけ投影データをダウンサンプリングすることは、順投影および逆投影演算を実行する計算的時間における２の５乗、つまり３２のファクターの減少という結果になることがあり、結果的にＩＲアルゴリズムに対する抜本的な効率性の向上に繋がる。
【００１９】
ＲＯＩにおける高解像度を達成しながらも、全ＦＯＶでの後続画像再構成の両方を達成するためには、画像ドメインは、米国特許番号８，６２５，８７０において述べられている通り、ＲＯＩの外側の低解像度領域およびＲＯＩの内側の高解像度領域へと区切ることが出来るが、ここに当該番号を記載することで、当該案件全体を組み込むものとする。しかし、ＩＲアルゴリズムの効率性は、単に画像ドメインを高および低解像度領域に区切ることだけでなく、サイノグラムドメインも区切ること、つまり投影データを高および低解像度領域に区切ることで、更に高めることが出来る。ダウンサンプリングがピクセルピッチにおいて２の変化のファクターによって実行される例に戻り、ボクセルのピッチのみ（ボクセルは、画像ドメインにおけるボリュームピクセルである）を変えることは、２の３乗、つまり８のファクター分、計算的負担を減らす。２の５乗、つまり３２のファクター分が合計で改善することは、画像ドメインにおけるボクセルおよび投影データにおけるピクセルの両方が、２の比でピクセル−ピッチによりダウンサンプルされる必要がある。
【００２０】
次に、図を参照しながら、本実施形態について説明する。以下、図において、同じ参照番号は同一のまたは様々な図を通して対応する部分を指し示すものとする。
【００２１】
図１は、ＲＯＩの外側のピクセルおよびボクセルに対する画像ドメインおよびサイノグラムドメインの両方におけるダウンサンプルされた領域を使用するＩＲ法のフロー概略図を示すものである。図２は、ＲＯＩに対応する領域における固有の解像度で、またＲＯＩの外側の領域に対する４のピクセル−ピッチ比によりダウンサンプルされた、画像ドメインにおけるボクセルおよび投影データにおけるピクセルの両方の例を示すものである。簡潔にするために、図２は、画像ドメインおよびサイノグラムドメインにおける単一の高解像度（ＨＲ）領域のみを示している。一般的に、多重高解像度ＲＯＩは、後に説明される通り、全ＦＯＶにおいて選択することが出来る。更に、各ＲＯＩに対する解像度は、ＲＯＩに表された解剖学的特徴のタイプと、所定の臨床アプリケーションに対する所望の解像度と、に従って、別々に特定が出来る。多重高解像度ＲＯＩを取得するためには、ここで述べられる通り、個別のＲＯＩにおける高解像度は、ボクセルおよびピクセルの両方に対する低解像度で全体のＦＯＶを初期化すること、投影ドメインにおいて細かい解像度を課すこと、また画像ドメインにおける解像度を再改良するのにＩＲアルゴリズムを逐次的に解くこと、により、達成することが出来る。一つ以上のＲＯＩが全ＦＯＶにおいて指定された場合に、ＲＯＩにおける改善された解像度は、ここに述べられる通り、連続的にまたは並行して達成することが出来る。連続的な場合、サイノグラムドメインおよび画像ドメインの両方における粗から細への切り替えは、現在のＲＯＩの解像度が次のＲＯＩへと移動してしまう前に、またＩＲ法を使用して次のＲＯＩにおける解像度を改良する前に、ＩＲ法にわたって改良されるように、個別のＲＯＩのそれぞれに対して連続して実行される。
【００２２】
図１に戻り、方法１００は、オブジェクトＯＢＪのマルチ解像度再構成を実行する。
【００２３】
方法１００のステップ１１０において、投影データが取得される。当該投影データは、ここで説明される様なＣＴスキャナを使用してＣＴスキャンやX線循環器装置による回転ＣアームコーンビームＣＴ撮影などなどを実行することにより、取得することが可能である。また、投影データは、コンピュータメモリから以前に取得された投影データを呼び戻すことで、取得しても良い。当該取得された投影データは、ＣＴスキャナのＸ線検出器の固有の解像度の可能性がある。
【００２４】
方法１００のステップ１２０において、初期再構成画像を決定することが出来る。当該初期画像は、ダウンサンプルされた投影データを使用して、またダウンサンプルされた投影データと同程度である初期画像に対する画像解像度を使用して、生成することが可能である。当該初期画像は、フィルタ補正逆投影（ＦＢＰ）法、フェルドカンプ−デイビス−クレス（ＦＤＫ）再構成法、そして例えば最小二乗または罰則付き重み付けられた最小二乗データ忠実項および正則化項を伴う目的関数を使用するＩＲ法を含む、任意の公知のＣＴ再構成法を使用して生成することが出来る。ＩＲ法を使用する特定の実施例において、当該ＩＲ法は、収束まで実行し続けるのではなく、所定数の逐次の実行が出来る。また当該ＩＲ法は、順序サブセット、ネステロフの加速、そして分離可能二次サロゲートを含む、収束を改善する様々な加速法やその他の技法も使用出来る。更に、当該ＩＲ法は、ＦＢＰまたはＦＤＫ再構成画像を使用して初期化が出来る。当業者には公知のＣＴ再構成法の様々な組み合わせも使用しても良い。
【００２５】
上で説明した通り、投影データのダウンサンプリングは、細分解能ピクセルを、ダウンサンプルされたデータの粗分解能ピクセルに対応するピクセルグループへとグループ分けし、その後粗分解能ピクセルの値を生成するのに細分解能ピクセルの個別のピクセルグループの値を平均化または合計することにより、達成することが出来る。代わりに、細分解能ピクセルを、補間、補外、および／または細分解能グリッドから粗分解能グリッドへの統合を使用して、粗分解能ピクセルに対するグリッドまたはその他のピクセルパターンへとリサンプルしても良い。
【００２６】
方法１００の１３０において、ＲＯＩは、初期画像において決定することが出来る。当該ＲＯＩは、高解像度での画像再構成が所望される領域の可能性がある。当該ＲＯＩを決定するための処理は、臨床的関連の特徴および／または領域を決定するのに、自動化することも出来るし、または、例えばグラフィカルユーザインターフェース（ＧＵＩ）を使用して、ユーザ入力（マニュアル設定）を含む、ことも出来る。例えば、ＲＯＩの自動化された決定は、臓器や骨の間の境界など、高程度の高空間周波数（ＨＦ）含有量を有する領域を決定するのに、エッジ検出法を使用することも含むことが出来る。これらの高周波数領域は、均一に低空間周波数（ＬＦ）の内容での領域に比べて、より高解像度での画像再構成の恩恵を受ける。ＲＯＩは、三次元の形状か、または所定の長さを第三の次元に沿って押し出した二次元の形状とすることが出来る。特定の実施例において、ＲＯＩはしきい値および領域成長法を使用して決定することも出来る。所定のしきい値を上回るエッジまたは高周波数測定に対応するピクセルは、しきい値および領域成長法をシードすることが出来る。
【００２７】
様々なＲＯＩがそれらに対応するピクセルピッチで決定された後に初期画像のボクセル値は、各個別のＲＯＩにおける所望のピクセルを有するボクセルへの補間を使用して、図２に示されたようにマッピングすることが出来る。
【００２８】
様々なエッジまたは高周波数測定は、高解像度がピクセルの所定の近傍に対して適切であるという印として、使用が出来る。例えば、初期画像と導関数との間の畳み込みの絶対値は、導関数の測度を生成するのに各ピクセルの近傍における平均減衰によって、規格化することが出来る。当該微分の測度は、減衰において著しく空間的変分を示している初期画像の領域において、更に大きくなることだろう。
【００２９】
更に、高解像度画像から恩恵を受けることの出来る領域の別の測度は、局所平均によって規格化された空間的な窓のある標準偏差を使用して生成が出来る。当該規格化された標準偏差は、高いテクスチャ領域の測度を提供する。
【００３０】
同様に、パワースペクトラル密度の空間的な窓があり且つ平均の周波数は、どの領域が高いテクスチャであるかについても提供することだろう。また、ウェーブレットに基づく変換の高周波数成分により表された減衰率は、高い解像度から恩恵を受けている領域を示す測度を同じように提供するだろう。これは、再構成画像（例えば、ガウスまたはラプラシアンピラミッド分解またはウェーブレット変換分解）のピラミッド分解に基づく方法、信号−処理法、フーリエ変換に基づく方法、その他の測定に対しても、当てはまる。高い空間的変動を示す領域の多くのその他の測度についても、当業者によって検討されている。任意のエッジ検出法、または異なる領域でのテクスチャ、または空間的変動／構造における（例えば局所的測定の）差を検出するための方法を使用することが出来る。
【００３１】
特定の実施例において、例えば、デノイジングまたは平滑化の影響を受けやすい画像の領域に対しては、残る領域に高解像度を割り当てることが可能な一方で、粗解像度を割り当てることが可能な様に、低および高解像度画像の選択は、初期画像を解析することで決定することが出来る。
【００３２】
更に、異なる正則化には、当該正則化の決定された統計的特性に従って、様々な領域において割り当てることが出来る。例えば、高解像度領域において、エッジ保存またはエッジ強化正則化を適用することが出来る一方で、粗解像度領域において平滑化正則化を適用することが出来る。特定の実施例において、全ての領域は、同じ正則化、例えば全変分（ＴＶ）最小化正則化を、使用する。
【００３３】
特定の実施例において、専用ＧＵＩが、初期画像における低および高解像度の領域の選択に対して使用することが出来る。当該専用ＧＵＩは、初期画像の表示が可能で、ユーザは、ＧＵＩにおいて高解像度のＲＯＩの特定が可能となる。
【００３４】
更に、特定の実施例において、ユーザは、ＧＵＩにおける低解像度のＲＯＩの特定も出来る。
【００３５】
特定の実施例において、マルチ解像度へのセグメンテーションは、ユーザからの事前入力を使用して、または初期設定を使用して、自動的に実行することが出来る。これらの入力および／またはデフォルト設定に基づいて、画像セグメンテーションの基準は、高（低）解像度の領域の決定に対して、設定される。画像セグメンテーションの様々な技法が、高解像度領域の対象を見つけ出すための基準に基づいて、実行が出来る。これらの技法は、自動または半自動技法の両方を含むことが可能である。半自動でのアプローチが適用された場合に、ＧＵＩは、初期値またはクロッピングした結果がユーザによって提供出来るように、含むことが出来る。
【００３６】
まず特定の実施例において、ラプラシアン−分解アプローチを使用出来る。当該ラプラシアン−分解アプローチでは、ラプラシアンフィルタは、初期画像について解析フィルタバンク演算として使用され、サブバンド構造のラプラシアンピラミッドという結果となる。各サブバンドボリューム画像は、相互作用的な再構成を使用して処理が可能であるが、スケールに関連したピクセルピッチを伴う。より詳細な画像特徴を有する、高周波数サブバンドの再構成は、低周波数サブバンド再構成が粗グリッドを用いる一方で、小さなピクセルピッチを用いる。最終的な出力は、再構成されたサブバンド画像の合成である。
【００３７】
次に特定の実施例において、ウェーブレットに基づくアプローチを使用出来る。ラプラシアン分解アプローチと同様、ウェーブレット変換も初期画像に適用が出来、サブバンド構造のウェーブレットピラミッドを形成する。高解像度での特徴は、低解像度領域が低周波数サブバンドから再構成される一方で、細解像度グリッドを用いることで、高周波数サブバンドから再構成される。
【００３８】
図３は、ＨＦ  ＲＯＩが指定された再構成画像の横断面である。また、図３は、当該ＨＦ  ＲＯＩに比べてより粗い解像度を使用する、ＬＦ  ＲＯＩも示している。方法１００は、解像度の二つのレベルのみに拘泥されることなく、マルチ解像度が様々な領域で使用することが可能である。例えば、高解像度は、臨床的に関連するとして指定された、またはＨＦ  ＲＯＩとして指定された領域に対して、適用することが出来る一方で、中解像度は未指定の領域に適用することが出来て、低解像度はＬＦ  ＲＯＩとなるよう指定された領域に指定が出来る。
【００３９】
図４は、二つのＨＦ  ＲＯＩおよび二つのＬＦ  ＲＯＩが特定された再構成頭部画像の横断面スライスを示している。当該二つのＨＦ  ＲＯＩは、同じ解像度を有しても良いし、異なる解像度を有しても良い。同様に、当該二つのＬＦ  ＲＯＩは、同じ解像度を有しても有さなくても良い。この様にして、マルチ解像度を適用することが出来る。例えば、所定のＲＯＩにおける解像度は、最適な解像度を達成するのに自動で調整が可能である。ＲＯＩにおける検出されたエッジの変化率が、ＲＯＩにおけるピクセルピッチの解像度限界とほぼ等しいことが決定された場合に、当該ピクセルピッチがＨＦ  ＲＯＩまたは固有の解像度における最も鮮明な特徴を解像するのに十分になるまで、当該ピクセルピッチは、Ｘ線検出器の固有の解像度へと次第に減る。
【００４０】
特定の実施例において、ＲＯＩにおける現在のピクセルピッチがその他の特徴ではないが多少の特徴を解像するのに十分な場合に、サブＲＯＩはＲＯＩにおいて決定することが可能で、当該サブＲＯＩは、小さなピクセルピッチを要求する多少の特徴に対応する。その場合に、当該小さなピクセルピッチは、サブＲＯＩへと適用が出来、ＩＲ法は、サブＲＯＩにおけるエッジや詳細な特徴を解像するために、サブＲＯＩにおける解像度を改良するのに実行することが出来る。更なる確認および検査が、上に説明されたエッジおよび構造測定を使用して、例えば小さなピクセルピッチがサブＲＯＩにおける最も詳細な特徴を解像するのに十分かどうかを決定するのに実行することが出来る。これらの特徴を解像するのに、より詳細な解像度を要求される場合があっても、サブＲＯＩ全体におけるピクセルピッチを、更に減らすことが出来る。
【００４１】
代わりに、サブＲＯＩにおけるいくつかのエッジおよび特徴が、その他のエッジおよび特徴が十分に解像されない一方で、サブＲＯＩにおいて十分に解像された場合に、当該サブＲＯＩはサブのサブＲＯＩを取得するのに更にサブ分割をすることが出来、ＲＯＩにおけるすべての特徴が十分に解像される、または固有の解像度に達するまで、続く。この逐次処理は、以下に説明するように停止基準が満たされるまで、ステップ１３０、１４０、１５０、１５５を逐次的に繰り返すことで、実現が可能である。
【００４２】
方法１００のステップ１４０において、画像ドメインにおける様々なＲＯＩが、サイノグラムドメイン上へと順投影される。図５は、画像ドメインからサイノグラムドメインへとＲＯＩを順投影するための、ステップ１４０の一実施例のフロー概要図を示している。更に、図７Ａ、７Ｂ、７Ｃ、７Ｄは、画像ドメインからサイノグラムドメインへの順投影を図示し、図８、９は、当該順投影に基づいて、サイノグラムドメインにおけるどのピクセルが、サイノグラムドメインＲＯＩの内側か、そしてどれがサイノグラムドメインＲＯＩの外側か、の決定を描いている。
【００４３】
再構成画像ｆ、投影データｇ、は、システムマトリクス方程式により、以下の式（１）ように関連付けられる。
【数１】
2019051315.tif 000003
ここでＡは順投影演算子／マトリクスであり、検出器面上へのオブジェクトＯＢＪのラドン変換または投影を表している。特定の実施例において、この順投影演算子Ａは、「レイ−ドリブン（ｒａｙ−ｄｒｉｖｅｎ）順投影」として呼ぶことが出来る。対応する「ピクセル−ドリブン逆投影」Ｂも、定義出来る。図７Ａは、空間プロフィールｆを有するオブジェクトを検出器アレイ上へとｆを順投影するために、オブジェクトを横切るＸ線の物理的な仕組みを描き、投影画像ｇを生成している。図７Ｂは、頭部ファントムの順投影を示し、図７Ｃは、順投影されているファントムの脊髄の部分に対応するＲＯＩを示す。最後に、図７Ｄは、ファントムの順投影および画像ドメインＲＯＩの画像ドメイン上への順投影の間の重なり（重畳）を描いている。
【００４４】
図７Ａは、ＣＴ撮像に対する投影の測定の幾何学を示す。位置の関数としてのＸ線減衰に対するオブジェクトＯＢＪは、Ｘ線が検出器アレイによって検出される前にオブジェクトＯＢＪを横切るように、関数ｆ（Ｘ，Ｙ，Ｚ）によって与えられる。Ｘ線ビームは、Ｚ軸に関連して投影角度φであるｚ軸に沿って伝播する。各当該画像において、Ｘ線は、画像化されるオブジェクトを通過し、当該Ｘ線が検出器アレイにぶつかるまで伝播し続ける。検出器アレイは、検出器アレイにわたる離散的な位置でＸ線強度を検出するのにピクセルのアレイを含むことが出来る。これらの測定は、画像オブジェクトＯＢＪのＣＴ画像を作り出すのにコンピュータメモリを使用して記録され後に処理される、検出器にわたって投影された強度／減衰ｇ（ｘ’，ｙ’）のマップを生じさせる。図７Ａにおいて、検出器は画像ボリュームの最も近い境界からの距離ｄであるように示されている。軸ｘ，ｙ，ｚは、オブジェクトＯＢＪの座標系を定義する一方で、軸Ｘ，Ｙ，Ｚは、オブジェクトＯＢＪに関して回転するＸ線スキャナの座標系を定義し、ｘ’とｙ’は、Ｘ線検出器に対するピクセルアレイの座標を定義する。
【００４５】
図７Ｂは、頭部ファントムからの投影画像の生成を示しており、図７Ｃは、ＲＯＩを検出器アレイのピクセルに対応する投影面へと順投影することで画像ドメインＲＯＩのバーチャル投影を示している。図７Ｄは、頭部ファントムの投影画像にわたるＲＯＩの投影の重畳を示している。高解像度再構成画像を生成するために、ＲＯＩの投影は、より大きなピクセルピッチが所望されるピクセルと重なるということが、見て取れる。他方、高解像度投影データは、ＲＯＩの投影と重なっているピクセルに対しては必要ではない。その理由は、これらのピクセルは、再構成画像の低解像度の部分と対応するからである。
【００４６】
特定の実施例において、粗解像度ピクセル（つまり、サイノグラムドメインＲＯＩの外側のピクセル）は、画像ドメインＲＯＩの投影と重ならない、あれらの粗解像度ピクセルであるとして、決定され、当該サイノグラムドメインにおけるＲＯＩは、投影データの残りのピクセル全てを含む。サイノグラムドメインにおけるＲＯＩは、図８や９に示されている通り、小さなピクセルピッチを有することになるだろう。図８と９において、円周は、画像ドメインＲＯＩのサイノグラムドメイン上への投影を表している。図８は、サイノグラムドメインの内側と外側との間のピクセルピッチの比は、２であり、一方で図９は、上記比は、４である。ＲＯＩの外側の粗解像度ピクセル（つまり、白色領域）は、図８および９に示されたグリッドの左上の角に示された個別の解像度を有する一方で、ＲＯＩを伴うピクセル（つまり、灰色領域）は、グリッドにより表された小さい解像度を有する。図８および９において、サイノグラムドメインＲＯＩの境界は、粗解像度ピクセルと画像ドメインＲＯＩの投影との間の全ての重なり合いを除去するように選択される。
【００４７】
代わりに、サイノグラムドメインＲＯＩの境界は、所定の比以上の分だけ、画像ドメインＲＯＩの投影と重なり合う粗解像度のピクセルのみを除外するよう選択することが出来る。
【００４８】
特定の実施例において、画像ドメインＲＯＩ内側のボクセルは、所定値（例えば、１の値）を割り当てられており、画像ドメインＲＯＩ外側の領域には、別の所定の値（例えば、０の値）が割り当てられている。その場合に、サイノグラムドメインＲＯＩは、値の所定の範囲内（例えば、０以上、１、または１０）にあるピクセルの順投影値のみを含むように決定することが出来る。
【００４９】
サイノグラムドメインＲＯＩにおける投影データのピクセル値は、例えばＸ線検出器の固有の解像度を伴う投影データを使用して取得することが出来る。この様にして、マルチ解像度投影データが生成出来るのである。
【００５０】
図５は、ステップ１４０の一実施例のフロー概略図を示している。
【００５１】
ステップ１４０のステップ５１０において、ＨＦ−ＲＯＩ投影（つまり、画像ドメインＲＯＩの投影）を生成するのに画像ドメインＨＦ−ＲＯＩ（つまり、画像ドメインＲＯＩ）が順投影される。
【００５２】
ステップ１４０のステップ５２０において、ＨＦ−ＲＯＩ投影を伴う所定の重複比を有する粗解像度ピクセルは、ＨＦ−ＲＯＩ（つまり、サイノグラムドメインＲＯＩ）の部分であるとして、特定される。
【００５３】
ステップ１４０のステップ５３０において、投影データに対するグリッドは、サイノグラムドメインＲＯＩにおける高解像度ピクセルピッチを有して決定される。その場合に、サイノグラムドメインＲＯＩにおける投影データは、例えば固有の検出器解像度を有する投影データを使用して、この高解像度ピクセルピッチと釣り合った高解像度を有するように投入される。
【００５４】
方法１００のステップ１５０において、画像ドメインにおけるＲＯＩの解像度は、マルチ解像度投影データを使用してＩＲ法を実行することにより、改良される。マルチ解像度データに対するシステムマトリクスは、低および高解像度部分へと二分することが出来、以下の式（２）のように表すことができる。
【数２】
2019051315.tif 000004
ここでｆＨは高解像度を有し画像ドメインＲＯＩの内側である再構成画像であり、ｆＬは低解像度を有し画像ドメインＲＯＩの外側である再構成画像であり、ｇＨは高解像度を有しサイノグラムドメインＲＯＩにある投影データであり、ｇＬは低解像度を有しサイノグラムドメインＲＯＩの外側にある投影データである。
【００５５】
特定の実施例において、高および低お解像度再構成画像を最適化するための逐次は、別々に実行することが出来、また一旦低解像度再構成画像が安定した解へと収束したら、当該低解像度再構成画像は、ＩＲ法が引き続きＲＯＩ内側の高解像度再構成画像を最適化する一方で、一定を維持出来る。例えば、分離された低解像度画像再構成問題は、以下の式（３）の様に表すことができる。
【数３】
2019051315.tif 000005
加えて、分離された低解像度画像再構成問題は、以下の式（４）の様に表すことができる。
【数４】
2019051315.tif 000006
更に、異なる正則化項が低および高解像度画像ｆＬおよびｆＨに対して、使用することが出来る。任意の既知の方法が、対応する目的関数とそれらの目的関数に対応するデータ忠実項および正則化項とを最適化するのに使用が出来る。
【００５６】
特定の実施例において、データ忠実項あるいは正則化項は、最適化項よりも拘束条件として、操作することが出来る。
【００５７】
特定の実施例において、高および低解像度画像の両方を組み合わせる目的関数の最小化は、次の式（５）によって与えることができる。
【数５】
2019051315.tif 000007
ここで合計目的関数は、次の式（６）で与えることができる。
【数６】
2019051315.tif 000008
ＵＨ（ｆＨ）は、高解像度画像に対する正則化関数であり、ＵＬ（ｆＬ）は、低解像度画像に対する正則化関数であり、Ｔは、マトリクス移項であり、βＨおよびβＬは、関連する重みを目的関数における正則化項へと適用する個別の正則化拘束条件である。
【００５８】
特定の実施例において、高および低解像度正則化関数は、同じであってもよいし、また更には単一の関数へと統一してもよい。任意の既知の正則化関数を使用してよい。
【００５９】
特定の実施例において、別々の高および低解像度目的関数は小さくすることが出来、ＩＲ法は、高および低解像度目的関数の最適化間を逐次することが出来る。また、安定した解は、低解像度画像に対して取得された後に、高解像度目的関数は、独立して最適化することが出来る。高解像度目的関数は、次の式（７）によって与えることができる。
【数７】
2019051315.tif 000009
低解像度目的関数は、次の式（８）によって与えることができる。
【数８】
2019051315.tif 000010
【００６０】
図６は、ステップ１５０の一実施例のフロー概略図を示している。
【００６１】
ステップ１５０のステップ６１０において、マルチ解像度画像は、第一の目的関数、または目的関数の組み合わせを最小化することで、最適化される。例えば、φＴｏｔａｌは、所定の逐次数に対して、または低解像度画像が収束基準を満たし安定するまで、最小化することが出来る。代わりに、φＨおよびφＬの組み合わせは、所定の収束基準を満たすために、逐次的に最小化出来る。特定の実施例において、ステップ６１０ではφＬのみが最小化される。
【００６２】
ステップ１５０のステップ６２０において、マルチ解像度画像は、一枚または複数枚の追加の目的関数を最小化することで、更に改良される。例えば、φＨは、独立して最小化することが出来る。
【００６３】
代わりに、新たなサブＲＯＩは、ＲＯＩに比べてより更に小さいピクセルピッチで定義することが可能で、サブＲＯＩに対する新たな目的関数は、サブＲＯＩの外側のその他の領域全てが一定の状態を保つ一方で、最小化することが出来る。
【００６４】
更に、特定の実施例において、マルチＲＯＩおよびマルチ解像度が可能で、各ＲＯＩは、各ＲＯＩの対応する目的関数を有することが出来る。その場合に、これらのＲＯＩのそれぞれに対する目的関数は、上で説明された通り、並行してまたは連続してのどちらかで、最小化することが出来る。
【００６５】
一般的に、画像および投影データのためにマルチ解像度を使用して逐次再構成することは、別々の逐次再構成の融合として、観察することが可能で、別々の逐次再構成は、それぞれ個別のＲＯＩにおける画像に対し、また個別のＲＯＩにおける投影データに対し、異なる解像度をそれぞれ含んでいる。上での説明も、当業者には理解されている通り、高解像度での二つ以上の解像度および／または一つ以上のＲＯＩの場合へと、簡単に拡張することが出来る。更に、ＩＲ法において適用されたパラメータは、各ＲＯＩをそれらが独自の画像、投影データ、解像度での個別の再構成問題として取り扱うことにより、各ＲＯＩに対して個別に調整することが出来る。
【００６６】
レイードリブン順投影の実施例は、レイと個別のボクセルとの間の重複を決定することで、所定のピクセル上への所定のレイ照射に沿って、個別のボクセルの寄与を計算することにより、達成することが出来る。この様にして、レイ積分への関連する寄与は、レイが通過する個別のボクセルのサイズ／解像度に依存する（例えば、高解像度ボクセルは、小さくなり且つ比例して寄与がより少なくなる可能性があるが、しかしこれは長さの関数としての寄与が保たれるように、高解像度ボクセル数が比例して寄与がより大きくなるという事実によってオフセットされる）。
【００６７】
同様に、ピクセルの個別のボクセルへの寄与を表す、ピクセル−ドリブン逆投影は、当業者には理解されている通り、逆投影演算の個別のマトリクス要素によってあらわされた高によって表された、ボクセルおよびピクセルのサイズ／重複にも依存する可能性がある。この様にして、ピクセル−ドリブン逆投影の実施例に対し、画像ＲＯＩにおける各ボクセルは、個別のピクセルへのＸ線源からの例のボリュームに従って、逆投影される（例えば、このボリュームは、対応するピクセルの横断面エリアにおおよそ比例する可能性がある）。
【００６８】
図１へと戻って、方法１００のステップ１５５において、停止基準が満たされたかどうかの紹介が実行される。当該停止基準が満たされていない場合、方法１００は、ステップ１５５からステップ１４０へと進み、ステップ１３０から開始しステップ１５０まで継続する逐次ループが、繰り返される。そうでなければ（停止基準を満たせば）、方法１００は完了である。
【００６９】
特定の実施例において、ステップ１３０が繰り替えされた場合に、ＨＲ  ＲＯＩの決定は、初期画像についてではなくマルチ解像度画像について実行され、サブＲＯＩは、ＲＯＩにおいて定義することが出来る。この様にして、ＲＯＩ、サブＲＯＩ、そしてサブのサブＲＯＩは、入れ子になった方法で、一方を他方のものの上に構成することが出来る。より小さなピクセルピッチがマルチ解像度再構成画像の画質を大いに改善しそうもない場合、係る停止基準は、より小さなピクセルピッチを使用することでＲＯＩにおける特徴をより鮮明にレンダリングすることが出来るかどうかを問い合わせる解像度基準を含むことがきる。例えば、当該照会は、マルチ解像度再構成画像および固有の解像度投影データの順投影の間の差を使用して、実現が出来るかもしれない。差が大きな領域においては、これらの領域における特徴が解像中であることを示すことが出来、また、次の逐次の間に、より高い解像度（最大で固有の解像度まで）がこれらの解像中の領域へと適用出来る。
【００７０】
特定の実施例において、投影データにおけるピクセルピッチおよびマルチ解像度画像が、Ｘ線検出器の固有の解像度に達した場合に、停止基準を満たすことが出来る。
【００７１】
また特定の実施例において、ＩＲ法の最大逐次数に達した場合に、停止基準を満たすことも出来る。
【００７２】
方法１００は、従来的な方法に勝る利点がいくつもある。第一に、再構成画像領域における領域に対する解像度は、ＩＲ法の逐次にわたって一定の可能性があるという点である。第二に、当該ＩＲ法において使用されるパラメータも、ＩＲ逐次にわたって一定の可能性がある点である。この点は、例えば、画像解像度がＩＲ法の第二のパスに対して変更される場合に、異なるセットのＩＲパラメータが必要とされる二つのパスＲＯＩ  ＩＲ法と対比する。第三に、ＲＯＩの外側の画像情報が、マルチ解像度画像においても維持されて、ＲＯＩにおいて生体構造が表示されるためのコンテキストを提供するのに、粗解像度ではあるものの、表示出来るという点である。第四に、ＲＯＩの外側の画像／データに対する計算オーバーヘッドが大いに減る点である。第五に、異なる解像度でのマルチＲＯＩが再構成出来る点である。第六に、ＲＯＩが減衰するオブジェクトＯＢＪに比べてずっと小さい場合であっても、裁断アーチファクトを最小化することが出来る点である。
【００７３】
次に、画像ドメインおよびサイノグラムドメインにおけるマルチ解像度表示の両方を使用してマルチ解像度画像再構成法の、例示的な臨床的アプリケーションおよび実行が提供される。
【００７４】
特定の実施例において、ＩＲアルゴリズムは、臨床的コンピュータ断層撮影（ＣＴ）で使用される。例えば、ＩＲアルゴリズムは、放射線量を低減し画質を改善することによる、臨床的アプリケーションにおける利点が明らかにされている。例えば、インターベンショナルな処置のための回転ＣアームコーンビームＣＴ（ＣＢＣＴ）において、低コントラスト撮像（ＣＴに似た撮像としても呼ぶことが出来る）および三次元デジタル差分血管造影法（３Ｄ−ＤＳＡ）などの三次元撮像特徴は、画質を改善しアーチファクトを低減するＩＲアルゴリズムを使用しての画像再構成の利点から恩恵を享受出来る。ＧＰＵ技術の急速な発達により、ＩＲ画像を生成するのに要する計算的時間は、インターベンショナルな処置の間に臨床的に実行可能なまでに、著しく低減している。これは、インターベンショナルな処置について、情報が臨床的処置に対する決断を誘導する上で有益な情報となりそうな場合に、その様な情報を素早く利用可能にする必要があるから、重要なのである。臨床的ＣＴとは違い、フラットパネル検出器（ＦＰＤ）に備え付けられたＣ−アームＣＢＣＴは、二次元撮像を行い、操作室において状況に即した角度にまで回転するために、適応性が高く且つ可動式になるよう考案されている。更に、ＦＰＤは、典型的なＣＴ検出器と比べて小さな撮像視野（ＦＯＶ）を有し、ＦＰＤは、高解像度撮像に適した高い解像度を典型的に有する。従って、ＩＲアルゴリズムを、ＦＰＤを使用するＣ−アームＣＢＣＴとの組み合わせを使用して取得されたＣＴ再構成画像は、臨床的に関連性があるとして画像再構成に係る計算的時間が掛かりすぎるので、インターベンショナルアプリケーションでは使用されていない。この計算的時間の長さは、検出器のＦＯＶおよび高解像度の組み合わせに起因するものである。それにもかかわらず、画像再構成に要する計算的時間が低減出来た場合には、当該組み合わせは有利なことがある。ここに説明される方法は、関心領域にある高解像度での画像が、ＩＲアルゴリズムを使用してマルチ解像度画像を生成するために、ＲＯＩの外側における解像度を犠牲にすることで、臨床的に関連する時間フレームにおいて生成出来ることにより、方針を提供する。
【００７５】
図１０は、小さなＦＰＤを使用して投影画像を取得する例を示している。この様にして、画像化されたオブジェクトＯＢＪは、画像化されたオブジェクトＯＢＪ上に重畳された白い円として示されている画像化された領域に比べてより大きいことが分かる。小さな画像ボリュームを使用することにより、画像化された領域の外側のオブジェクトＯＢＪの部分から生じている投影データの減衰が原因で、再構成画像において裁断アーチファクトの恐れが生じる。ＦＰＤの小さなサイズは、三次元再構成に対するデータ取得の間のデータ裁断という結果に繋がる可能性がある。これが、ＦＰＤを使用するＸ線取得を表して図１０に描かれている。投影角の中には、ＦＯＶの収集は、データがオブジェクトＯＢＪを完璧に特徴付けることを可能にさせるであろうと思われたデータが、ＦＰＤの拡がりには限度があるため、データが欠けていることがあるように、オブジェクトＯＢＪに完全に及ばないことがある。欠如したデータは、以下の式（９）にて示されるシステムマトリクス方程式（例えば、ＩＲアルゴリズムは、当該システムマトリクス方程式を解く逐次アルゴリズムとして、理解されることがある）に基づいた画像を再構成するのに利用可能な、公知の投影データｇの量を減らすだろう。
【数９】
2019051315.tif 000011
ＦＯＶがオブジェクトＯＢＪ全体に比べて下回る場合に、システムマトリクス方程式は、決定されない傾向がある。つまり、順投影Ａを使用してモデルになっているシステムマトリクスの結果として、ＦＯＶの内側の画像は、ＦＯＶ外側の画像に比べて、方程式によってより制約を受けるということである。従って、ＦＯＶ内側の画像は、正しい解へと収束する傾向がある一方で、ＦＯＶ外側の画像は、正しい解から発散する傾向がある。その理由は、当該正しい解の解空間が、不完全な投影データの結果としてのシステムマトリクス方程式によって拘束されていない結果として大きいからである。
【００７６】
臨床的アプリケーションに対して、再構成に対する画像化された領域は、何が表示出来るかについて、および上で説明されたように、特にフィルタ補正逆投影（ＦＢＰ）再構成法で、小さなＦＯＶが小さな画像化された領域を招く可能性について、制限する。しかし、一方ではＦＢＰは画像化された領域を制限し、当該画像化された領域は、ＩＲアルゴリズムが使用された場合に大きくなることがある。ＩＲアルゴリズムは、システムマトリクス方程式の最小自乗（例えば、データ忠実項）を最小化することが出来、最小自乗は、ＦＢＰに対して使用された画像化された領域に比べてより大きな画像化された領域を含むことが出来る。つまり、当該ＩＲアルゴリズムは、裁断によるアーチファクト無しでオブジェクトＯＢＪを精確に表す解へと出来るだけ近くまで達するように、オブジェクトＯＢＪ全体を含む、大きな画像ボリュームを使用出来る。
【００７７】
大きな撮像領域を使用する結果として、より多くのボクセルが使用され、再構成画像ｆにおける数多くの画像変数という結果に繋がる。更に、投影データについての補外などの裁断補正は、オブジェクトＯＢＪ全体を表す投影データを補外するのに、投影データｇの境界へと付け加えることが出来、このような補外を実現することは、投影データｇにおけるピクセル数を増やすことにより、問題の次元も増やすことになるだろう。画像化された領域の各次元の長さｒにおける小さな増加（例えば、３０％の増加）および投影データの各次元の長さｌにおける小さな増加（例えば、２０％の増加）は、システムマトリクス問題のサイズおよび対応する計算的時間における実質的な増加を生じる可能性がある。（例えば、計算的時間がオーダー０（ｒ３×ｌ２）であるということは、ｒにおいて３０％の増加およびｌにおいて２０％の増加が、時間において２１６％増える結果になり、つまり１．３３×１．２２＝３．１６）。このようにして、再構成画像および投影データの個別の解像度（つまり、ピクセルピッチ）を変更することなく、再構成画像および投影データのサイズを増やすことにより、画像再構成時間が劇的に増える可能性があり、インターベンショナル撮像など素早い画像再構成からの恩恵を受けるような、特定の臨床的アプリケーションに対して適さない拡大した画像領域を潜在的に作り出す。ボリュームの長さにおける３０％の増加、および投影の長さにおける２０％の増加の比は、神経系のインターベンショナルな処置における頭部スキャンに対するＩＲアルゴリズムを使用するための実行を表す。このようにして、ここに説明される様なマルチ解像度ＩＲ法を介して達成された時間の節約抜きで、画像ドメインおよび投影ドメインにおける次元の小さな増加であっても、ＩＲ計算的時間の実質的な増加という結果になり、様々な臨床的アプリケーションにとって許容範囲を超えてこの計算的時間が膨れ上がる原因となる。
【００７８】
血管におけるステントを配置する神経系のインターベンショナルな処置は、臨床的ＣＴ撮像の一例である。当該臨床的ＣＴ撮像において、高解像度および低解像度の両方の領域を含むＩＲアルゴリズムを使用して高速画像再構成を達成するために、ここに説明される方法を使用することは、有益である。例えば、図１１Ａおよび１１Ｂは、頭部のＣＴ画像を使用してステントの配置に対する神経系インターベンショナルな処置を描いている。図１１Ａは、ステントの円形横断面を含む、頭部の横断面の再構成画像を示している。図１１Ｂは、ステントの上下の部分に印がついたステントの側面図を示している。当該ステントは、直径が約３から４ｍｍ、長さが２０から３０ｍｍである。
【００７９】
上で説明された通り、三次元撮像における低コントラスト撮像に加えて、ＦＰＤを使用するＣ−アームＣＢＣＴも、高解像度撮像の能力がある。しかし、三次元撮像は、ワイヤ、カテーテル、そしてステントなど、デバイスのために二次元撮像用に元々考案された、ＦＰＤのより従来的な使用の拡大を表すものである。ＦＰＤの固有の解像度は、従来的に２００マイクロメータに比べてより小さい。この高い解像度のために、ＦＰＤがあるＣ−アームＣＢＣＴにおける高解像度撮像の通常の環境では、画像の再構成に対する集中的な計算を伴うＣＰＵの過負荷および画像再構成時間の大幅な増加を避けるために、小さな領域に制限されている。
【００８０】
神経系インターベンショナルな処置に対する典型的な高解像度アプリケーションは、ステントの位置を測定するのに図１１Ａや１１Ｂのようにステントを撮像することである。ステントは、血管の内側に配置され、血管壁に接触して拡がっている。当該処置の適切な実行とは、ステントが位置から滑り出してしまうのを避けるために、ステントの突っ張りが血管壁に対して至当な位置にあることを必要とする。図１１Ａは、ＦＢＰを使用する関心領域（ＲＯＩ）再構成を示している。ステントの横断面は、図１１Ａの中心近くに円の形状であることを認めることが出来る。図１１Ｂは、円筒の形であるステントの側面図を示している。
【００８１】
改善された速さとマルチ解像度法の局所的な高解像度との組み合わせから恩恵を受けている別の臨床的アプリケーションは、図１２に示されたように、くも膜下出血の治療である。このアプリケーションは、出血している塊や骨など、異なる組織間をより良く分解し区別するために、高解像度でのＲＯＩを有することにより、恩恵を享受する。図１２は、大脳皮質を取り囲んでいる、くも膜下空間への出血の画像を示している。当該減少は、くも膜下出血（ＳＡＨ）と呼ばれる。大脳皮質と頭蓋との間のくも膜下空間が非常に狭い場合に、出血を表す画像における領域は、特に血管と骨との間の空間を分解するには、画像解像度が不十分な場合に、骨に溶け込む可能性がある。上で説明された三次元撮像特徴を使用する低コントラスト撮像は、単一の低い解像度だが、コントラスト対ノイズ比の良い画像を作り出すよう、通常考案されている。ここに説明される高解像度画像法は、低コントラスト撮像において生成された従来的な単一の解像度画像の限界を解消出来る。このようにして、脳皮質と頭蓋との間のＳＡＨ領域をより良く分解し区別するために、頭蓋のエッジに沿った解像度画像を増やすことは、マルチ解像度画像が大いに役立つかもしれない。
【００８２】
上で説明した通り、ＦＰＢを備えたＣ−アームＣＢＣＴは、通常小さな撮像ＦＯＶを有し、高解像度撮像能力を備えている。高速画像再構成は、結果が有用且つ当該分野における臨床医により採用されるようなものとなる目的で、適度な再構成時間を達成するために都合が良い。しかし、ＦＰＤの固有の解像度での均一な画像を再構成することは、ＩＲ再構成時間に臨床的に実行不可能なほどの増大をもたらす可能性がある。従って、高速マルチ解像度ＩＲアルゴリズムは、マルチ解像度画像を生成するのに採用されるのである。それは、マルチ解像度画像は、特定のＲＯＩのみが高解像度で再構成され、残りの領域は計算的リソースを節約するのに低解像度で再構成されるからである。
【００８３】
一実施例によると、解像度問題は、背景画像を表す低解像度画像（つまり、ＲＯＩを除く全て）およびＲＯＩを表す高解像度画像を含む目的関数を最小化するＩＲ法として、公式化することが出来る。データ忠実項は、画像ドメインにおいて高解像度と低解像度との部分、つまり次の式（１０）に分岐されたシステムマトリクス方程式（９）を表す。
【数１０】
2019051315.tif 000012
更に、上で説明されたようにサイノグラム（投影）ドメインも、次の式（１１）に示されるシステムマトリクス方程式によって実証されている通り、高解像度と低解像度との部分に分岐される。
【数１１】
2019051315.tif 000013
【００８４】
サイノグラム（投影）におけるマルチ解像度の使用を知らせるインサイトは、次の二つの見解を含む。第一に、再投影されたＲＯＩの外側の粗解像度データは、画像ドメインにおける高解像度ＲＯＩに寄与しないことが見て取れる。第二に、裁断補正に対する投影補間は、裁断された投影境界の平滑な変換を提供するために使用されること、また高解像度で表される必要がないこと、が見て取れる。従って、ＩＲアルゴリズムのコンテキストにおいて、投影データにおけるマルチ解像度は、臨床的有意性の情報を犠牲にすることなく、使用することが出来る。
【００８５】
単一の解像度ＩＲ法から、サイノグラム（投影）ドメインにおけるマルチ解像度を使用するマルチ解像度ＩＲ法までの拡張は、単一の再構成問題を多重の内側に関する再構成問題へと分割することとして、理解が出来る。
【００８６】
当該拡張は、ある事実を使用して実現される。その事実とは、単一の解像度に対応するそれぞれに分割されたサブ問題に対し、またＩＲアルゴリズムの各逐次に対し、一回のレイ−ドリブン順投影演算と一回のピクセル−ドリブン逆投影演算とがあるということだ。多重領域の個別の解像度に従って、ＩＲアルゴリズムの順投影演算および逆投影演算を分割することで、ＩＲアルゴリズムを多重領域への分岐は、実行することが出来る。空間的に限られたＲＯＩに比べて量が多いことが多い、低解像度領域に対応する順投影演算および逆投影演算は、低い解像度が原因でコンピュータ的にはより効率良くなるだろう。従って、マルチ解像度ＩＲアルゴリズムは、ＲＯＩの内側の画質に多大な影響を与えることなく、レイ−ドリブン順投影演算の計算的コストを低減出来る（つまり、レイ数は、投影データの解像度に依存するということ）。
【００８７】
特定の実施例において、マルチ解像度ＩＲ法を実行するために使用される目的関数は、拘束された最適化問題によって表される。
【数１２】
2019051315.tif 000014
Ａ１およびＡ２は、投影ドメインにおける高および低解像度領域にそれぞれ対応するシステムマトリクスＡの構成要素システムマトリクスで、つまりＡ＝［Ａ１  Ａ２］である。また、ｔ（ｓ）は画像（投影）ドメインにおける低解像度ピクセル（ボクセル）サイズおよび高解像度ピクセル（ボクセル）サイズの間の比である。
乗数ｔおよびｓは、まるで画像解像度が均一であるかのように、パラメータ調整を一貫性させるように、解像度の多様性についての効果を補償するのに使用される。当該最適化問題は、任意の公知のＩＲ技術および方法を使用して解くことが出来る。最適化問題の表現は、上で説明された目的関数といくつかの点で異なる目的関数を使用する。例えば、上で説明された目的関数は、データ忠実項と正則化項とを同時に最小化する一方で、この最適化問題の表現は、データ忠実項についての制約を条件に正則化項を最小化し、また減衰が非負となるような制約を最小化する。
更に、特定の実施例において、最適化問題は、正則化項についての制約を条件に、データ忠実項を最小化するよう装うこともある。また、特定の実施例において、正則化項は、最適化問題から省略されることもある。
【００８８】
マルチ解像度再構成画像における高解像度領域および低解像度領域の選択は、どちらの領域をより良く、更に改良された解像度に対してきめ細やかな詳細へと分解される必要があるか、に依存出来る。高解像度領域および低解像度領域の選択は、画像ドメインにおける高解像度領域および低解像度領域の順投影から、その後生じる可能性がある。例えば、投影ドメインにおけるピクセルの解像度（つまり、ピクセルピッチ）は、Ｘ線照射がピクセル上を通過する最も細かい解像度ボクセルに対応する可能性がある。
【００８９】
画像ドメインにおける様々な領域の解像度の決定は、自動化、半自動化、そして上に説明されたようなユーザ−ドリブン機構を使用して達成することが出来る。当該ユーザ−ドリブン機構は、例えば、ＧＵＩにおける画像を表示し且つ当該表示された画像においてユーザに領域を選択させること、エッジ検出法、空間周波数しきい値法、臨床的に関連性があると決定された、所定の特性を有する異なる領域に対する信号処理、またこれらの組み合わせを含む。例えば、所定の減衰特性を有するデバイスを挿入するインターベンショナルな処置において、ユーザ入力は、自動化されたアルゴリズムが、所定の減衰特性を有する領域を検出したり、高解像度画像再構成に対する当該領域をフラグ立てしたりすることが出来るように、所定の減衰特性を示すことが出来る。
【００９０】
例えば、高解像度ＲＯＩは、エッジがインターベンショナルなデバイスまたは骨等解剖学的構造によって表されるように、急激な変遷およびエッジを伴う領域に対応するよう選択が出来る。二つだけの解像度、つまり高解像度および低解像度でのアプリケーションに加えて、マルチ高解像度ＲＯＩを選択することが出来、各ＲＯＩは固有の解像度（つまり、ピクセルピッチ）によって特徴付けられている。従って、ここに説明される方法は、柔組織に対する所望のコントラスト対ノイズ比（ＣＮＲ）を維持しながら、再構成画像における鮮明な解剖学的エッジに近いＬＣＩ画像の画像解像度を改善することが出来る。例えば、図１２において、頭蓋と大脳皮質との間のくも膜下空間近くに、高い画像解像度が所望される。減衰における急激な変化は、高解像度が望ましいＲＯＩを決定するのに使用することが可能で、当該変化は、例えばエッジ検出、セグメンテーション、そしてウェーブレット、ラプラス、ガウス、またはその他のマルチスケール分解などを含む、いくつかの方法のうちの一つを使用して検出することが出来る。
【００９１】
特定の実施例において、高解像度ＲＯＩは、１の値がＲＯＩピクセルを表し、０の値がＲＯＩでないピクセルを表す、二値のマスク画像を使用して提議することが出来る。
【００９２】
図１３は、画像を四つの領域へと分割する、非限定の例を示している。それらの領域とは、外側低解像度領域１３３０、中解像度領域１３４０、高解像度領域１３５０、そして内側低解像度領域１３６０である。当該例において、外側境界１３１０および内側境界１３２０は、高解像度領域を定義するのに、使用される。例えば、外側境界１３１０および内側境界１３２０は、頭蓋など鮮明な特徴を有する骨領域の個別の境界の可能性がある。高解像度領域１３５０は、検出器の固有の解像度と等しい解像度を有する。二つの低解像度領域１３３０および１３６０は、脳組織など比較的均一な画像の部分に対応する。図１３において、二つの低解像度領域１３３０および１３６０におけるピクセルピッチは、高解像度領域１３４０の四倍である。中解像度領域１３５０は、高解像度領域および低解像度領域におけるピクセルピッチの間の中間にある特性を伴う空間的特徴を有する特徴を含むことが出来る。図１３において、中解像度領域１３５０は、高解像度領域および低解像度領域の間の緩衝（バッファ）としても機能し、また高解像度領域１３４０の二倍のピクセルピッチを有する。
【００９３】
図１４は、マルチ解像度逐次再構成に対する方法８００のフロー概略図を示している。方法８００は、図１に示された方法１００への代替的な実施例である。方法８００は、投影データおよび再構成画像が、如何にＲＯＩへと分割することが出来るのかを表しており、ＲＯＩの個別の解像度に従って、ＲＯＩはユニークに対処される。方法８００の特定の実施例において、マルチ解像度画像および投影データは、自動的にＲＯＩへと分割が出来る。
【００９４】
方法８００のステップ８１０において、オリジナル投影データは、検出器の固有の解像度で取得される。固有の解像度投影データｇ８１２は、低解像度シード／初期画像が再構成された低解像度（つまり、粗解像度ピクセルに対応する大きなピクセルピッチ）へとダウンサンプルすることが出来る。例えば、低解像度シード画像は、ＦＢＰ法またはＩＲ法（収束に向かう逐次を伴う、または伴わない）を使用して、再構成出来る。
【００９５】
方法８００の８２０において、シード画像は、例えば線形平滑化フィルタ、異方性拡散、非局所平均、または非線形フィルタを使用してデノイズされる。
【００９６】
線形平滑化フィルタは、ローパスフィルタまたは平滑化演算を表すマスクで、オリジナル画像を畳み込むことによりノイズを除去する。例えば、ガウスのマスクは、ガウスの関数によって決定された要素を具備する。この畳み込みは、各ピクセルの値をそのピクセルに近傍するピクセルの値へと近づけるようにするものである。一般的に、平滑化フィルタは、各ピクセルを各ピクセル自体の、または各ピクセルの周りに近傍するピクセルの、平均値、または重み付けられた平均値へと設定する。例えば、ガウシアンフィルタは、正に可能な重みのセットであると言える。不都合なことに、平滑化フィルタは、周囲の／に近傍するピクセルに比べて著しくよりピクセル強度値が高い或いは低いと、それらの近傍のエリアにわたって、広がるあるいは均されてしまうので、画像をぼやかす傾向がある。それにより、鮮明な境界が不鮮明になる。一般的に、局所線形フィルタ法は、局所近傍に見受けられる均一性は均一であると仮定し、従って、画像に均一性を押し付ける傾向にあり、病変や臓器境界など非均一な特徴を曖昧にする。
【００９７】
異方性拡散は、熱伝導方程式と同様の平滑化偏微分方程式の下で、画像を展開させることにより、鮮明な境界を維持しながらノイズを除去する。拡散係数が空間的に不変の場合に、この平滑は線形ガウシアンフィルタリングと等しくてもよいが、拡散係数が境界の存在に従って異方性の場合に、ノイズは画像の境界をぼやかすことなく除去することが出来る。
【００９８】
メジアンフィルタは、非線形フィルタの一例であり、もし適切に設計されれば、非線形フィルタも境界を保ち、ぼかしを避けられるかもしれない。メジアンフィルタは、例えば、画像におけるそれぞれピクセルを評価することで、輝度に従って近傍するピクセルを分類し、ピクセルのオリジナル値を順序付けられた輝度の表から中央値と置き換える、演算をする。メジアンフィルタは、階数条件ランク選択（ＲＣＲＳ）フィルタの一例である。例えば、メジアンフィルタとその他ＲＣＲＳフィルタは、明らかなぼかしアーチファクトを取り込むことなく、画像から塩と胡椒ノイズを除去するために適用することが出来る。
【００９９】
更に全変分（ＴＶ）最小化正則化項を使用するフィルタは、画像化されるべき複数のエリアがそれらのエリア間の比較的鮮明な境界を持つ離散的領域に渡って均一であると仮定される箇所に、使用されてよい。ＴＶフィルタは、非線形フィルタの別例として使用されてもよい。
【０１００】
非局所的平均フィルタリングにおいて、ピクセルは、ピクセルの空間的近似に従ってピクセルの重みづけ平均化を実行するのではなく、画像におけるパッチ間の類似性に従う重みづけ平均となるように決定される。このようにして、ノイズは画像における、全てのピクセルの非局所的平均化に基づいて、除去される―近傍するピクセルだけが除去されるのではない。特に、ピクセルに対する重みの量は、あるピクセル近くに中心がある小さなパッチと、デノイズされるピクセル周辺に中心がある別の小さなパッチと、の間の類似の程度に基づいている。
【０１０１】
方法８００のステップ８３０において、シード画像は、高解像度画像が望ましいＲＯＩを決定するのに、準備することが出来る。これらの準備は、画像のセグメンテーション（例えば、骨ボリュームをセグメンテーションする）、エッジ検出、および／またはマルチ解像度分解を実行すること、を含んでよい。特定の実施例において、低解像度ＦＢＰシード画像ｆは、当該シード画像のデノイジングの後に実行される、骨セグメンテーションおよび／またはエッジ検出アルゴリズムを使用して処理される。
【０１０２】
方法８００のステップ８４０において、シード画像ｆは、ＲＯＩの外側にある低解像度区分ｆＬと、ＲＯＩの内側にある高解像度高解像度区分ｆＨとに、分解され分割される。シード画像の低解像度区分ｆＬは、目的関数を最小化することで、上の最適化問題を解くためのステップ８８０における、提案されるマルチ解像度ＩＲアルゴリズムへと直接提供することが出来る。ＲＯＩ検出アルゴリズムの任意のタイプが、ＲＯＩを検出するのに提供されてよい。例えば、検出アルゴリズムの選択は、画像化されている身体の領域、臨床的アプリケーション、使用されるＣＴスキャナ、および／またはユーザ入力に依存することが出来る。
【０１０３】
特定の実施例において、ＲＯＩは、信号処理を使用して所定の特徴および特性に基づいて、検出することが出来る。所定の特徴および特性を示すとして検出された領域は、境界ブロックにより、またはそうでなければＲＯＩの境界をデマーキングする三次元表面境界により、その後取り囲むことが出来る。
【０１０４】
方法８００のステップ８５０において、高解像度区分ｆＨを、所望のピクセルピッチを有するｆＨを有する高解像度区分ｆＨへとアップサンプルすることが出来る。
【０１０５】
方法８００のステップ８５０において、高解像度区分ｆＨは、所望のピクセルピッチを有する高解像度画像ｆＨを生成するのにアップサンプルし、補間することが出来る。
【０１０６】
方法８００のステップ８６０において、ＲＯＩは、画像ドメインから投影ドメインへと順投影される。当該投影ドメインにおけるＲＯＩ決定の順投影は、方法１００のステップ１４０について説明された任意の方法を使用して、実行することが出来る。
【０１０７】
例えば、二値マスクは、画像ドメインにおけるＲＯＩを表すのに作り出すことが出来る。当該二値マスクは、ＲＯＩの内側の１の値およびＲＯＩの外側の０の値のボクセルを有する可能性がある。投影ドメインにおける当該ＲＯＩは、０に比べてより大きい二値マスクの順投影に対するあれらのピクセルの可能性がある。
【０１０８】
また、ステップ８６０は、シード画像を順投影することにより、測定された投影データの外側の領域に対する投影データの補間を含むことが可能である。例えば、図１０は、画像化されたオブジェクトＯＢＪに完全にわたらない投影画像における画像を示している。しかし、図１０にしめされた投影角に対してサンプルされないオブジェクトＯＢＪのエッジは、その他の投影角でサンプルすることが出来る。従って、図１０におけるオブジェクトＯＢＪのサンプルされない領域は、投影データにおいて少なくとも部分的に表れている。つまり、再構成画像は、上で説明された通り、図１０に示された画像化された領域に比べてより大きい、拡大された撮像領域に対して生成することが出来る、ということである。この拡大された撮像領域に対する再構成画像を順投影することにより、投影データは、補間された投影データがオブジェクトＯＢＪに完全にわたるように、図１０に示されたＦＰＤのエッジを超えて補間が出来る。この補間されたデータは、裁断効果を軽減することで、マルチ解像度画像の画質を改善出来る。この補外は、ステップ８６０かまたはステップ８７０において実行することが出来る。
【０１０９】
方法８００のステップ８７０において、高解像度投影データまたは固有の解像度投影データは、ステップ８６０で決定された投影ドメインにおけるＲＯＩの外側の低解像度投影データを生成するのに、ダウンサンプルされる。
【０１１０】
例えば、高解像度画像ｆＨから作り出された二値マスク画像を順投影することで投影ドメインＲＯＩを決定した後、第二の二値マスクが投影ドメインＲＯＩに対応して作り出される。この第二の二値マスクは、固有の検出器解像度を有する投影データｇ８１２に適用され、ＲＯＩの内側の高解像度投影データｇＨを指定する。特定の実施例において、高解像度投影データｇＨに対し、追加の処理は必要とされない。その理由は、投影データｇ８１２がステップ８８０において実行されたマルチ解像度ＩＲアルゴリズムへと直接移動するように、ＲＯＩに対する所望の解像度だからである。低解像度投影データｇＬを作り出すのに第二の二値マスクによって指定された、ＲＯＩの投影ドメインの外側の固有の解像度投影データｇ８１２について、ダウンサンプリングが実行され、低解像度投影データｇＬが生成される。
【０１１１】
特定の実施例において、投影データｇ８１２は、例えば、ローデータ規格化、ビームハードニング補正、散乱補正、リング状アーチファクト補正で予備処理をすることが出来る。
【０１１２】
特定の実施例において、計算的効率を改良するのに、投影データｇ８１２ｈは、シード画像の再構成に対する低解像度投影データの生成に先立って、ダウンサンプルすることが出来る。その後、追加のダウンサンプリングをステップ８７０で実行する必要はなく、投影ドメインにおけるＲＯＩの外側である、シード画像に対するもともとダウンサンプリングされた投影データは、低解像度投影データｇＬとして使用することが出来る。
【０１１３】
従って、ＲＯＩ８４４の外側の画像である、画像ドメインにおける画像ドメインＲＯＩの外側の領域は、低解像度画像ｆＬであり、任意の追加処理をすることなくシード画像から直接取得が出来る。他方で、画像ドメインＲＯＩ８４２の内側の画像は、シード画像をアップサンプリングすることにより、および／または高解像度画像ｆＨに対する初期ボクセル値を取得するのに、ステップ８５０において補間することにより、初期化される。高解像度投影データｇＨは、投影ドメインＲＯＩの内側の投影データである。低解像度投影データｇＬは、投影ドメインＲＯＩの内側の投影データをダウンサンプリングすることで、ステップ８７０において生成される。それにより、低および高解像度シード画像ｆＬとｆＨと、低および高解像度投影データｇＬとｇＨとは、取得され、また上で説明された最適化問題を解くことにより、マルチ解像度画像を再構成するためのステップ８８０へと適用される。
【０１１４】
方法８００のステップ８８０において、低および高解像度シード画像ｆＬとｆＨと、低および高解像度投影データｇＬとｇＨとは、上で説明された拘束条件に従って、上で説明された目的関数の独立変数を最適化することにより、マルチ解像度画像を逐次的に再構成するために使用される。
【０１１５】
特定の実施例において、マルチ解像度ＩＲ問題の最適化の間に、ｆＬおよびｆＨは、次の式（１２）で表現される最適画像を取得するために、収束するまで各逐次において逐次的且つ同時にアップデートされる。
【数１３】
2019051315.tif 000015
【０１１６】
特定の実施例において、マルチ解像度ＩＲ問題の最適化の間に、ｆＬおよびｆＨは、低解像度画像ｆＬが安定するまで、各逐次において逐次的且つ同時にアップデートされる。その後に、低解像度画像ｆＬは、高解像度画像ｆＨが式（１２）で示された最適画像を取得するのに逐次的に最適化されながら、一定に保たれる。
【０１１７】
特定の実施例において、シード画像は、収束に向かって初期に逐次的に再構成される。その後に、マルチ解像度ＩＲ問題の最適化の間に、低解像度画像ｆＬ＊は、高解像度画像ｆＨが式（１２）で示された最適画像を取得するのに逐次的に最適化されながら、シード画像から取得され一定に保たれる。
【０１１８】
方法８００のステップ８９５において、停止基準が満たされたかどうかの照会が実行される。当該停止基準が満たされた場合に、方法８００は完了である。満たされてなければ、方法８００は、ＲＯＩを決定し、更にステップ８４０へと戻ることでＲＯＩにおける解像度を更に改良するステップを繰り返す。当該停止基準は、解像度を更に改良することにより、追加領域が改善出来るかどうかを含むことが出来る。
【０１１９】
停止基準が満たされなければ、次に別のＲＯＩを決定することが出来、このその他のＲＯＩにおける解像度は、方法８００のステップ８４０へと戻ることで、改良出来る。
【０１２０】
特定の実施例において、方法８００は、ステップ８４０へと向けて処理するのではなく、ステップ８９５からステップ８３０へと進んでも良い。
【０１２１】
また、特定の実施例において、高解像度投影データがＸ線検出器アレイの固有の解像度にまだ到達していない場合に、繰り返しステップ８４０、８５０、８６０、そして８７０は、高解像度画像および投影ドメインＲＯＩに対する小さなピクセルピッチの使用を含んでも良い。
【０１２２】
図１５は、ＣＴ装置またはＣＴスキャナに含まれる放射線ガントリの実装を描いている。図１５に図示されるように、放射線ガントリ１０００は側面から見て描かれており、Ｘ線管１００１、環状フレーム１００２、そして多列または２次元アレイ型Ｘ線検出器１００３を更に含む。Ｘ線管１００１およびＸ線検出器１００３は、環状フレーム１００２上にオブジェクトＯＢＪを横切って正反対に取り付けられ、環状フレーム１００２は回転軸ＲＡの回りに回転可能に支持される。オブジェクトＯＢＪが図示された頁の奥の方向または手前の方向の軸ＲＡに沿って移動されながら、回転ユニット１００７は環状フレーム１００２を０．４秒／回転もの高速で回転させる。
【０１２３】
本発明に係るＸ線コンピュータ断層撮影（ＣＴ）装置の第一の実施形態は、付随する図面を参照しながら以下に説明される。Ｘ線ＣＴ装置は、様々なタイプの装置を含んでいることに留意されたい。具体的には、Ｘ線管とＸ線検出器とが検査される予定のオブジェクトの周辺を一緒に回る回転／回転型機構と、そして多数の検出器素子がリング状または水平状に配置されており、Ｘ線管のみが検査される予定のオブジェクトの周辺を回る固定／回転型機構とがある。本発明は、いずれのタイプにも適用可能である。今回は、現在の主流である回転／回転型機構が例示される。
【０１２４】
マルチスライスＸ線ＣＴ装置は高電圧発生器１００９を更に含み、Ｘ線管１００１がＸ線を生成するように、高電圧発生器１００９はスリップリング１００８を通してＸ線管１００１に印加される管電圧を生成する。Ｘ線は、オブジェクトＯＢＪに向かって照射され、オブジェクトＯＢＪの断面領域が円で表される。例えば、第一のスキャン中に平均的なＸ線エネルギーを有するＸ線管１００１は、第二のスキャン中の平均的なＸ線エネルギーに比べてより小さい。このようにして、二回以上のスキャンが異なるＸ線エネルギーに対応して、取得が出来る。Ｘ線検出器１００３は、オブジェクトＯＢＪを通り抜けて伝播してきた照射Ｘ線を検出するために、オブジェクトＯＢＪを挟んでＸ線管１００１から反対側に位置されている。Ｘ線検出器１００３は、個々の検出器素子または検出器ユニットを更に含む。
【０１２５】
ＣＴ装置は、Ｘ線検出器１００３から検出された信号を処理するための、その他のデバイスを更に含む。データ収集回路またはデータ収集システム（ＤＡＳ）１００４は、各チャンネルに対するＸ線検出器１００３からの出力信号を電圧信号に変換し、その電圧信号を増幅し、更にその電圧信号をデジタル信号へと変換する。Ｘ線検出器１００３およびＤＡＳ１００４は、１回転当たりの所定全投影数（ＴＰＰＲ）を処理するように構成されている。
【０１２６】
上に説明されたデータは、非接触データ送信装置１００５を通して、放射線ガントリ１０００外部のコンソール内に収容された、前処理デバイス１００６へと送られる。前処理デバイス１００６は、ローデータに関する感度補正など、特定の補正を実行する。格納部１０１２は、再構成処理直前のステージで、投影データとも呼ばれる結果データを格納する。格納部１０１２は、再構成デバイス１０１４、入力部１０１５、表示部５１６と共に、データ／制御バス１０１１を通して、システムコントローラ１０１０に接続されている。当該システムコントローラ１０１０は、ＣＴシステムを駆動させるのに十分なレベルに達するまで電流を制限する電流調整器１０１３を制御する。
検出器は、どんな世代のＣＴスキャナシステムであっても、患者に対して回転されるおよび／または固定される。一実施例において、上で説明されたＣＴシステムは、第三世代ジオメトリシステムと第四世代ジオメトリシステムとが組み合わせられた例であってもよい。第三世代ジオメトリシステムにおいて、Ｘ線管１００１とＸ線検出器１００３とは、環状フレーム１００２上に正反対に取り付けられ、環状フレーム１００２が回転軸ＲＡの周りを回転する時に、オブジェクトＯＢＪの周りを回転する。第四世代ジオメトリシステムにおいて、検出器は患者の周辺に固定して取り付けられており、Ｘ線管は患者の周辺を回転する。代替的な実施形態において、放射線ガントリ１０００は、Ｃアームおよびスタンドによって支持されている、環状フレーム１００２上に配置された多数の検出器を有する。
【０１２７】
格納部１０１２は、Ｘ線検出器１００３でＸ線照射量を示す測定値を格納することが出来る。更に、格納部１０１２は、方法１００を実行するための専用プログラムを格納していても良い。
【０１２８】
再構成デバイス１０１４は、方法１００を実行することが出来る。更に、再構成デバイス１０１４は、必要に応じてボリュームレンダリング処理や画像差処理など、前再構成処理を実行することが出来る。
【０１２９】
前処理デバイス１００６によって実行された投影データの前再構成処理は、例えば検出器キャリブレーション、検出器非直線性、極性効果のための補正を含むことが出来る。その上、前再構成処理は、方法１００の様々なステップを含んで良い。
【０１３０】
再構成デバイス１０１４によって実行される後再構成処理は、画像のフィルタリングや平滑化、ボリュームレンダリング処理、そして画像差処理を、必要に応じて含むことが出来る。画像再構成処理は、方法１００のステップの様々な実行を含むことが出来る。再構成デバイス１０１４は、格納部を使って、例えば投影データ、再構成画像、キャリブレーションデータやパラメータ、そしてコンピュータプログラムを格納することが出来る。
【０１３１】
再構成デバイス１０１４は、特定用途向け集積回路(ＡＳＩＣ)、フィールドプログラマブルゲートアレイ(ＦＰＧＡ)、またはその他の複合プログラマブル論理デバイス(ＣＰＬＤ)など、個々の論理ゲートとして実行可能な、ＣＰＵ（処理回路）を含むことが出来る。ＦＰＧＡまたはＣＰＬＤ実行は、ＶＨＤＬ、ベリログ、または任意のその他のハードウェア記述言語でコード化されていてもよく、そして当該コードはＦＰＧＡまたはＣＰＬＤにおいて直接電子メモリ内に格納されてもよいし、あるいは個別の電子メモリとして格納されてもよい。更に、格納部１０１２は、ＲＯＭ、ＥＰＲＯＭ、ＥＥＰＲＯＭ（登録商標）、またはフラッシュメモリなど、不揮発性メモリであってもよい。格納部１０１２は、静的または動的ＲＡＭなど揮発性でよい。マイクロコントローラやマイクロプロセッサなどプロセッサ（処理回路）と格納部１１２とは、ＦＰＧＡまたはＣＰＬＤと格納部１０１２との間の相互作用と同様、電子メモリを管理するために提供されていてもよい。
【０１３２】
代替的に、再構成デバイス１０１４におけるＣＰＵは、ここで説明された機能を実行するコンピュータ読み取り可能命令のセットを含んでいるコンピュータプログラムを実行することが出来、当該コンピュータプログラムは、任意の上述の非一時的電子メモリおよび／またはハードディスクドライブ、ＣＤ、ＤＶＤ、フラッシュドライブ、または任意のその他の既知の格納媒体に格納されている。更に、コンピュータ読み取り可能命令は、ユーティリティアプリケーション、バックグラウンドデーモン、またはオペレーティングシステムの構成要素、またはそれらの組み合わせで提供されてもよく、所定のオペレーティングシステムや、当業者にとっては既知のその他のオペレーティングシステムと一体となって実行する。更に、ＣＰＵは、指示を実行するために並行して協同的に動く、マルチプルプロセッサとして実行されてもよい。
【０１３３】
一実施例において、再構成画像は、表示部１０１６上に映し出されてよい。表示部１０１６は、ＬＣＤディスプレイ、ＣＲＴディスプレイ、プラズマディスプレイ、ＯＬＥＤ、ＬＥＤ、または当業者にとって既知のその他のディスプレイであってもよい。
格納部１０１２は、ハードディスクドライブ、ＣＤ-ＲＯＭドライブ、ＤＶＤドライブ、フラッシュドライブ、ＲＡＭ、ＲＯＭ、または当業者にとって既知のその他の格納メディアであってもよい。
【０１３４】
特定の実行例について説明してきたが、これらの実行例は、例として提示されたものにすぎず、本開示の教示を限定する意図はない。実際に、ここで説明された新規の方法およびシステムは様々なその他の形態で具体化することが出来る。その上、ここで説明された方法、装置およびシステムの形態における様々な省略、置換、および変更は、本開示の趣旨から逸脱することなく行うことが出来る。
【符号の説明】
【０１３５】
１１２…格納部
５１６…表示部
１０００…放射線ガントリ
１００１…Ｘ線管
１００２…環状フレーム
１００３…Ｘ線検出器
１００４…データ収集システム
１００５…非接触データ送信装置
１００６…前処理デバイス
１００７…回転ユニット
１００８…スリップリング
１００９…高電圧発生器
１０１０…システムコントローラ
１０１１…データ／制御バス
１０１２…格納部
１０１３…電流調整器
１０１４…再構成デバイス
１０１５…入力部
１０１６…表示部
【図１】
2019051315.tif 000016
【図２】
2019051315.tif 000017
【図３】
2019051315.tif 000018
【図４】
2019051315.tif 000019
【図５】
2019051315.tif 000020
【図６】
2019051315.tif 000021
【図７Ａ】
2019051315.tif 000022
【図７Ｂ】
2019051315.tif 000023
【図７Ｃ】
2019051315.tif 000024
【図７Ｄ】
2019051315.tif 000025
【図８】
2019051315.tif 000026
【図９】
2019051315.tif 000027
【図１０】
2019051315.tif 000028
【図１１Ａ】
2019051315.tif 000029
【図１１Ｂ】
2019051315.tif 000030
【図１２】
2019051315.tif 000031
【図１３】
2019051315.tif 000032
【図１４】
2019051315.tif 000033
【図１５】
2019051315.tif 000034